(57)【特許請求の範囲】
【請求項１】
机の天板の端部に立設されたパネル本体の前面に、所要大きさの凹部を設けるとともに、ＯＡ機器が載置される凹状部が設けられたＯＡ機器保持板の下端を、前記パネル本体の前面に、前記パネル本体の凹部の開口面を閉塞して保持板の凹状部とでＯＡ機器の収納空間を形成する起立位置と、天板と当接するほぼ水平位置との間を上下に回動可能に枢着し、前記保持板にはＯＡ機器の後端部が挿入可能で該保持板を起立した際にも保持できる保持片が設けられ、ＯＡ機器に接続されたコード類を挿通する挿通孔をパネル本体に形成するとともに、ＯＡ機器を天板上に取出してＯＡ機器保持板を起立位置に回動したとき、前記挿通孔と対向する切欠挿通部が前記ＯＡ機器保持板に形成されていることを特徴とするＯＡ機器収納パネル。
【請求項２】
前記保持片は逆Ｌ字形に形成されてＯＡ機器保持板におけるＯＡ機器の載置面に設けられている請求項１に記載のＯＡ機器収納パネル。
【請求項３】
凹部を、パネル本体の内側面板全体を凹ませることにより形成した請求項１または２に記載のＯＡ機器収納パネル。
【発明の詳細な説明】
【０００１】
【発明の属する技術分野】
本発明は、例えばノート型の小型のパソコンやワープロ等のＯＡ機器を、不使用時には収納し、使用時には天板上に取出して使用することができるようにしたパネルに関する。
【０００２】
【従来の技術】
小型のパソコン等を、不使用時に収納可能として、天板上に通常の仕事に支障のない広いスペースを確保しうるようにした机が種々提案されている。
【０００３】
この種の机としては、例えば実開平６−２６５６４号公報、特開平８−１５４７４６号公報に開示されているものがある。
【０００４】
【発明が解決しようとする課題】
上記前者の机は、上下方向に開閉可能とした天板（上蓋）の下方に、パソコン等の収納空間を設けてあるため、通常の机に適用できず、それ専用の机とする必要がある。
【０００５】
また、パソコン等を天板の下方に収納すると、書類等を入れる引出の設置スペースがなくなるため、別途引出しを設けようとすると、机が大型化する問題がある。
【０００６】
上記従来の後者の机では、机の後端に立設したパネルにパソコン等のディスプレイ装置を埋込んであるため、標準的大きさの机に適用した際に、ディスプレイ装置が遠くなり、見にくくなる。
【０００７】
本発明は、上記問題点を解決するためになされたもので、通常の机に加工を施したりすることなくそのまま使え、かつ不使用時には、パソコン等の全体をパネル内に収容することにより、天板の省スペースが図れるようにしたＯＡ機器収納パネルを提供することを目的としている。
【０００８】
【課題を解決するための手段】
上記目的を達成するために、本発明のＯＡ機器収納パネルは、机の天板の端部に立設されたパネル本体の前面に、所要大きさの凹部を設けるとともに、ＯＡ機器が載置される凹状部が設けられたＯＡ機器保持板の下端を、前記パネル本体の前面に、前記パネル本体の凹部の開口面を閉塞して保持板の凹状部とでＯＡ機器の収納空間を形成する起立位置と、天板と当接するほぼ水平位置との間を上下に回動可能に枢着し、前記保持板にはＯＡ機器の後端部が挿入可能で該保持板を起立した際にも保持できる保持片が設けられ、ＯＡ機器に接続されたコード類を挿通する挿通孔をパネル本体に形成するとともに、ＯＡ機器を天板上に取出してＯＡ機器保持板を起立位置に回動したとき、前記挿通孔と対向する切欠挿通部が前記ＯＡ機器保持板に形成されていることを特徴としている。上記構成の本発明によると、ＯＡ機器の不使用時は、机の端部に立設したパネル本体の凹部とＯＡ機器保持板との間の収納空間に収納しておけるので、机本体には何ら加工を施す必要はなく、通常の机をそのまま使用することができる。また、ＯＡ機器の不使用時には、机の天板全体を通常の仕事用として有効に使用することができる。更に、ＯＡ機器の後端部を保持片に挿入するだけで、保持板を起立した際にＯＡ機器がづり落ちることなく保持され、かつＯＡ機器の使用時には保持片から容易に取り出が行える。またＯＡ機器の使用時に、挿通部にコード類を挿通して、保持板を起立させておくことができるので、保持板が邪魔になることはない。また、挿通部をパネル本体と保持板との双方に設けると、パネル本体側の挿通部が大きく露出して体裁が損なわれることはない。
【０００９】
上記ＯＡ機器収納パネルにおいて、前記保持片は逆Ｌ字形に形成されてＯＡ機器保持板におけるＯＡ機器の載置面に設けられているのが好ましい。このようにすると、逆Ｌ字形の保持片によりＯＡ機器の後端部が挿入しやすいく、保持板を起立させる際にＯＡ機器のずれ落ちを有効に阻止できる。
【００１１】
上記ＯＡ機器収納パネルにおいて、凹部を、パネル本体の内側面板全体を凹ませることにより形成するのが好ましい。
このようにすると、凹部内の周面に開口部が形成されることがないので、保持板を下向きに回動しても凹部の外観体裁が損なわれるのが防止される。
【００１２】
【発明の実施の形態】
以下、本発明の実施例を図面に基づいて説明する。
【００１３】
図１及び図２は、本発明を適用した机１を示すもので、その天板２の後端部上面（以下、方向は図２の左方を前として説明する）には、天板２の左右長と等長をなすパネル本体３が、図示しない固定手段により立設されている。
【００１４】
パネル本体３の前面の左方より、すなわち、正面引出し４の中央部と対応する部分には、前パネル板を後方に凹ませることにより、矩形状の凹部５が形成されている。
【００１５】
パネル本体３における凹部５の左端直下、すなわち、後記するパソコン保持板７の左下端角部と近接した位置には、天板２の直上の前面と天板２の後端下面とに開口する配線挿通孔６が形成され、後記するノート型パソコン１４に接続されたコード類１５を挿通しうるようになっている。
【００１６】
パネル本体３の前面における凹部５の下方には、凹部５の前面を覆うカバーを兼ねたパソコン保持板７の下端が、蝶番８により、パネル本体３の前面と当接する起立位置と、天板２の上面と当接するほぼ水平位置との間を上下に回動可能として枢着されている。このパソコン保持板７は、上記凹部５との間にパソコン１４の収納空間が形成されるように矩形凹状をなし、その先端（図２において上端）中央には、パネル本体３に形成した係合孔（図示略）に挿入して回動させることにより、パソコン保持板７を、パネル本体３の前面と当接する起立状態に保持しうる鍵付係止金具９が取付けられている。
【００１７】
パソコン保持板７の内底面（起立時において後面）における左方寄りの基端部側と右方寄りのほぼ中央部とには、それぞれパソコン本体とマウスとを係止保持するための逆Ｌ字形の保持片１０，１１が、起立時においてパネル本体３の凹部５内に遊挿しうるようにして固着されている。
【００１８】
次に、上記実施例のパネルの使用例について説明する。
【００１９】
図３に示すように、パソコン本体１２とそれに接続されたマウス１３とからなるノート型パソコン１４を、パネル本体３に収納する際は、パソコン保持板７を、天板２の上面に当接するまで下向きに回動させたのち、パソコン本体１２とマウス１３とをパソコン保持板７の上面の凹部内に載置し、それらの後端部を保持片１０，１１内に挿入して保持する。
【００２０】
なお、パソコン本体１２に接続された電源等のコード類１５は、パネル本体３に形成した配線挿通孔６を通して、天板２の後端より垂下させておく。
【００２１】
次いで、図４に示すように、パソコン保持板７をパネル本体３の前面と当接するまで上向きに回動して起立させ、鍵付係止金具９をパネル本体３の係合孔に挿入してロックする。
【００２２】
これにより、パソコン本体１２及びマウス１３は、パネル本体３の凹部５内に収納される（図５参照）。なお、パソコン本体１２及びマウス１３は、保持片１０，１１により保持されているため、パソコン保持板７を上向きに起立させてもずり落ちる恐れはなく、また凹部５内でがた付くこともない。
【００２３】
ノート型パソコン１４を使用する際は、鍵付係止金具９を解錠して、パソコン保持板７を天板２の上面と当接するまで下向きに回動する（図３の状態）。
【００２４】
次いで、図６に示すように、パソコン本体１２とマウス１３とをパソコン保持板７より取出し、天板２の使用し易い位置まで移動させたのち、パソコン保持板７を起立させ、パネル本体３の前面に係止する。この際、コード類１５は、パネル本体３の配線挿通孔６を挿通しているので、パソコン保持板７を支障なく起立させて、パネル本体３の前面に係止することができる。
【００２５】
以上説明したように、上記実施例のＯＡ機器収納パネルにおいては、通常の机に何ら加工を施すことなくそのまま使用することができるので、引出しの書類の収納スペースが小さくなったり、机が大型化したりすることがなくなる。
【００２６】
また、不使用時には、パソコン１４をパネル本体３に収納しておけるので、机の天板全体を通常の仕事用として有効に使用することができる。
【００２７】
さらに、パソコン１４の使用中は、パソコン保持板７を起立させて、パネル本体３に係止保持しておけるので、パソコン保持板７が邪魔になることはない。
【００２８】
使用時には、パソコン本体１２を自在に移動しうるので、ディスプレイ装置が見えにくくなることもない。
【００２９】
パネル本体３の凹部５は、前パネル板全体を後方に凹ませて形成してあるため、パソコン保持板７を下向きに回動させた際に、凹部５内の周面に開口部が形成され、それが露呈するなどして体裁が損なわれるのを防止しうる。
【００３０】
本発明は、上記実施例に限定されるものではなく、種々の実施形態をとり得る。
【００３１】
上記実施例では、パソコン保持板７に逆Ｌ字形の保持片１０，１１を設けて、パソコン本体１２とマウス１３の落下防止と保持を行っているが、落下のみを防止する係止片を設け、保持はベルトやゴムバンド等を用いてもよい。
【００３２】
パソコン本体１２のコード類１５を挿通する配線挿通孔６の位置を、図７に示すように、パソコン保持板７の左下端角部に切欠挿通部１６を設け、この切欠挿通部１６と対向するパネル本体３の前面に形成してもよい。
【００３３】
このようにすると、上述と同様、パソコン使用中においてコード類１５を配線挿通孔６に挿通した状態で、パソコン保持板７を支障なく起立させてパネル本体３の前面に係止することができ、しかも、上記実施例のように、挿通孔６が大きく露呈しないので、外観的体裁が向上する。
【００３４】
本発明は、上記ノート型パソコン１４の外、小型のワープロやその他のＯＡ機器の収納にも適用しうることは勿論である。
【００３５】
また、パネル本体３が机１の天板２の左右の側端に立設されるものにも適用することができる。
【００３６】
【発明の効果】
本発明によれば、次のような効果が得られる。
【００３７】
（ａ）請求項１に記載の発明によれば、ＯＡ機器を机の天板に立設したパネルの凹部内に収納しうるようにしたことにより、机本体には何ら加工を施す必要はなく、通常の机をそのまま使用することができるとともに、天板の省スペースが図れる。また、天板の下方に収納空間を設けた従来のもののように、引出しの書類の収納スペースが減少したり、机を大型化したりする必要もない。さらに、ＯＡ機器の使用時には、天板上の任意の位置に自在に移動しうるので、使い勝手が良く、かつディスプレイ装置が遠く離れて見にくいなどの問題がなくなる。更に、ＯＡ機器の後端部を保持片に挿入するだけで、保持板を起立した際にＯＡ機器がづり落ちることなく保持され、かつＯＡ機器の使用時には保持片から容易に取り出が行える。またＯＡ機器の使用時に、挿通部にコード類を挿通して、保持板を起立させておくことができるので、保持板が邪魔になることはない。また、挿通部をパネル本体と保持板との双方に設けると、パネル本体側の挿通部が大きく露出して体裁が損なわれることはない。
【００３８】
（ｂ）請求項２に記載の発明によれば、逆Ｌ字形の保持片によりＯＡ機器の後端部が挿入しやすいく、保持板を起立させる際にＯＡ機器のずれ落ちを有効に阻止できる。
【００４０】
（ｂ）請求項３に記載の発明によれば、凹部内の周面に開口部が形成されることがないので、保持板を下向きに回動しても凹部の体裁が損なわれることはない。
【００４１】
【図面の簡単な説明】
【図１】本発明を適用した机の正面図である。
【図２】同じく、図１のＩＩ−ＩＩ線の拡大縦断側面図である。
【図３】同じく、ＯＡ機器を保持板上に載置して保持した状態の要部の側面図である。
【図４】同じく、保持板を起立させてパネル本体の凹部にＯＡ機器を収納した状態の一部切欠側面図である。
【図５】同じく、ＯＡ機器を収納したときのパネル本体の要部の正面図である。
【図６】ＯＡ機器使用時の側面図である。
【図７】挿通孔の他の実施例を示すパネル本体の正面図である。
【符号の説明】
１            机
２            天板
３            パネル本体
４            正面引出し
５            凹部
６            挿通孔（挿通部）
７            パソコン保持板
８            蝶番
９            鍵付係止金具
１０，１１    保持片（保持部材）
１２          パソコン本体
１３          マウス
１４          ノート型パソコン
１５          コード類
１６          切欠挿通部
【図１】
0004353566.tif 000002
【図２】
0004353566.tif 000003
【図３】
0004353566.tif 000004
【図４】
0004353566.tif 000005
【図５】
0004353566.tif 000006
【図６】
0004353566.tif 000007
【図７】
0004353566.tif 000008